(57)【特許請求の範囲】
【請求項１】
原稿を給紙する原稿給紙部と、
前記原稿給紙部によって搬送されてくる前記原稿の一方の面を読み取る第１読取部と、
前記原稿給紙部によって搬送されてくる前記原稿の他方の面を読み取る第２読取部と、
前記第１読取部による前記原稿の一方の面の読み取りが終了した後、当該原稿をその他方の面が前記第１読取部に読み取られる状態として反転させて搬送する反転部と、
前記第１読取部により前記原稿の一方の面を読み取り、前記反転部による当該原稿の反転後に、前記第１読取部が当該原稿の他方の面を読み取る両面反転読取モードと、前記原稿給紙部による一度の原稿搬送で、前記第１読取部が当該原稿の一方の面を読み取り、前記第２読取部が当該原稿の他方の面を読み取る両面同時読取モードのいずれかのモードで、当該各部に原稿読取動作を行わせる制御部と、
前記原稿給紙部によって搬送される各原稿の厚さを検出する原稿厚さ検出部と、
前記第１及び第２読取部による原稿読取時の画像読取感度を変更する画像読取感度変更部とを備え、
前記原稿厚さ検出部によって検出された原稿厚さが予め定められた値以下である場合には、前記制御部が前記両面反転読取モードでの原稿読取動作を禁止して前記両面同時読取モードでの原稿読取動作を行わせ、前記画像読取感度変更部が前記第１及び第２読取部による原稿読取時の画像読取感度を予め定められた値まで低減させる画像読取装置。
【請求項２】
前記両面反転読取モード又は両面同時読取モードのいずれかのモードで原稿を読み取らせるモード選択指示をユーザから受け付けるモード選択指示受付部を更に備え、
前記制御部は、前記原稿厚さ検出部によって検出された原稿厚さが前記予め定められた値以下の場合には、前記モード選択指示受付部による前記両面反転読取モードを選択するモード選択指示の受付を禁止する請求項１に記載の画像読取装置。
【請求項３】
前記制御部は、前記両面反転読取モードでの原稿読取動作の開始後に、前記原稿厚さ検出部によって原稿厚さが前記予め定められた値以下と検出された場合、当該読取対象である原稿についての原稿読取動作を前記両面同時読取モードに切り換える請求項１に記載の画像読取装置。
【請求項４】
前記原稿厚さ検出部によって検出された原稿厚さが予め定められた値以下であり、前記制御部が前記両面同時読取モードでの原稿読取動作を行わせる場合には、前記画像読取感度変更部は、前記第１及び第２読取部による原稿読取時の露光量を、予め定められた露光量まで低減させる請求項１乃至請求項３のいずれかに記載の画像読取装置。
【請求項５】
前記原稿厚さ検出部によって検出された原稿厚さが予め定められた値以下であり、前記制御部が前記両面同時読取モードでの原稿読取動作を行わせる場合には、前記画像読取感度変更部は、前記第１及び第２読取部による読取画像の輝度補正ゲインを、予め定められた値まで低減させる請求項１乃至請求項３のいずれかに記載の画像読取装置。
【請求項６】
前記第１読取部又は第２読取部による原稿読取終了後の原稿を排出する原稿排出部を更に備え、
前記原稿厚さ検出部は、前記両面反転読取モードでの前記原稿一方面の読取動作時に、当該原稿が前記反転部に到達するまでに、当該原稿の原稿厚さを検出して前記制御部に送出し、
前記制御部は、前記両面反転読取モードでの前記第１読取部による原稿一方面の読取動作時に、前記第２読取部に当該原稿の他方面を読み取らせておき、前記原稿厚さ検出部から送出されてきた当該原稿の原稿厚さが前記予め定められた値以下である場合には、当該原稿を前記反転部に反転させることなく前記原稿排出部によって排出させ、前記第２読取部に読み取らせておいた前記原稿他方面の読取画像を、当該原稿の他方面の読取画像とする請求項５に記載の画像読取装置。
【請求項７】
前記第１読取部は、縮小光学系イメージセンサにより前記原稿の一方の面を読み取り、
前記第２読取部は、密着光学系イメージセンサにより前記原稿の一方の面を読み取る請求項１乃至請求項６のいずれかに記載の画像読取装置。
【請求項８】
請求項１乃至請求項７のいずれかに記載の画像読取装置と、
前記第１読取部及び第２読取部に読み取られた読取画像のデータに基づいて画像を記録媒体に形成する画像形成部と
を備えた画像形成装置。
【請求項９】
前記画像形成部による記録媒体への画像形成濃度を変更する濃度変更部を更に備え、
前記原稿厚さ検出部によって検出された原稿厚さが予め定められた値以下であり、前記制御部が前記両面同時読取モードでの原稿読取動作を行わせる場合には、前記画像読取感度変更部による前記第１及び第２読取部の画像読取感度低減処理に代えて、前記濃度変更部が、前記画像形成部による記録媒体への画像形成濃度を、予め定められた値まで低減させる請求項８に記載の画像形成装置。
【発明の詳細な説明】
【技術分野】
【０００１】
本発明は、原稿の両面を読み取ることが可能な画像読取装置、及びこの画像読取装置を備えた画像形成装置に関するものである。
【背景技術】
【０００２】
従来、複写機やファクシミリ等の画像形成装置では、自動原稿送り装置（ＡＤＦ：Automatic Document Feeder）を備えた画像読取装置によって、原稿の表面及び裏面を自動的に読み取っている。この原稿読取では、原稿の表面の画像をイメージセンサが読み取った後、その原稿の表裏を反転させて、原稿裏面の画像を再度イメージセンサが読み取る方式（両面反転読取モード）が広く採用されている。
【０００３】
さらには、下記特許文献１に示されるように、原稿トレイからの原稿搬送路において原稿の表裏両面側にそれぞれイメージセンサを設けることで、原稿を反転させることなく１回の原稿搬送（ワンパス）で原稿両面をほぼ同時に読み取る方式（両面同時読取モード）を採用した画像形成装置が知られている。この特許文献１に示される画像形成装置は、厚さが薄い原稿をその両面側からスキャナでの読み取ったときに生じる、読取対象面とは反対面の画像まで読み込む所謂スキャン画像の裏写りを防止するために、原稿の厚さが規定値以下である場合には、上記原稿両面の同時読取を行わせずに、１つのイメージセンサに当該原稿を片面ずつ読み取らせるようにしている。
【特許文献１】特開２００３−４３８６６号公報
【発明の開示】
【発明が解決しようとする課題】
【０００４】
しかしながら、上記特許文献１に示される画像形成装置は、原稿両面を読み取る場合、厚さが薄い原稿であるにも拘わらず、当該原稿を両面反転読取モードにより片面ずつ表裏面を読み取るため、原稿反転動作や原稿搬送時間が長くなることにより当該薄い原稿に与える負担が大きくなり、当該原稿を破損させる原因ともなる。
【０００５】
本発明は、上記の問題を解決するためになされたものであり、読取対象である原稿の厚さが薄い場合であっても、スキャン画像の裏写りを生じさせることなく、また、当該原稿を破損させずに表裏面の読取を可能にすることを目的とする。
【課題を解決するための手段】
【０００６】
本発明の請求項１に記載の発明は、原稿を給紙する原稿給紙部と、
前記原稿給紙部によって搬送されてくる前記原稿の一方の面を読み取る第１読取部と、
前記原稿給紙部によって搬送されてくる前記原稿の他方の面を読み取る第２読取部と、
前記第１読取部による前記原稿の一方の面の読み取りが終了した後、当該原稿をその他方の面が前記第１読取部に読み取られる状態として反転させて搬送する反転部と、
前記第１読取部により前記原稿の一方の面を読み取り、前記反転部による当該原稿の反転後に、前記第１読取部が当該原稿の他方の面を読み取る両面反転読取モードと、前記原稿給紙部による一度の原稿搬送で、前記第１読取部が当該原稿の一方の面を読み取り、前記第２読取部が当該原稿の他方の面を読み取る両面同時読取モードのいずれかのモードで、当該各部に原稿読取動作を行わせる制御部と、
前記原稿給紙部によって搬送される各原稿の厚さを検出する原稿厚さ検出部と、
前記第１及び第２読取部による原稿読取時の画像読取感度を変更する画像読取感度変更部とを備え、
前記原稿厚さ検出部によって検出された原稿厚さが予め定められた値以下である場合には、前記制御部が前記両面反転読取モードでの原稿読取動作を禁止して前記両面同時読取モードでの原稿読取動作を行わせ、前記画像読取感度変更部が前記第１及び第２読取部による原稿読取時の画像読取感度を予め定められた値まで低減させる画像読取装置である。
【０００７】
この発明によれば、原稿厚さ検出部によって検出された原稿厚さが予め定められた値以下である場合、制御部が両面反転読取モードでの原稿読取動作を禁止して両面同時読取モードでの原稿読取動作を行わせると共に、画像読取感度変更部が第１及び第２読取部による原稿読取時の画像読取感度を予め定められた値まで低減させることで、読取対象となる原稿の厚さが薄いことに対応して、両面反転読取モードでの原稿読取動作で原稿に与えられる反転動作や長時間の原稿搬送による負担をなくすようにし、しかも、第１及び第２読取部による画像読取感度を低減させることでスキャン画像の裏写りの防止を可能にしている。そのため、厚さが薄い原稿を読み取る場合であっても、スキャン画像の裏写りを生じさせることなく、当該原稿の破損防止が可能となる。
【０００８】
また、請求項２に記載の発明は、請求項１に記載の画像読取装置であって、前記両面反転読取モード又は両面同時読取モードのいずれかのモードで原稿を読み取らせるモード選択指示をユーザから受け付けるモード選択指示受付部を更に備え、
前記制御部は、前記原稿厚さ検出部によって検出された原稿厚さが前記予め定められた値以下の場合には、前記モード選択指示受付部による前記両面反転読取モードを選択するモード選択指示の受付を禁止するものである。
【０００９】
この発明によれば、原稿厚さ検出部によって検出された原稿厚さが予め定められた値以下の場合に、制御部が、両面反転読取モードを選択するモード選択指示の受付を禁止することで、破損の可能性がある薄い原稿の場合にはユーザが両面反転モードを選べないようにするため、厚さが薄い原稿の読取時において確実に原稿破損を防止することが可能になる。
【００１０】
また、請求項３に記載の発明は、請求項１に記載の画像読取装置であって、前記制御部は、前記両面反転読取モードでの原稿読取動作の開始後に、前記原稿厚さ検出部によって原稿厚さが前記予め定められた値以下と検出された場合、当該読取対象である原稿についての原稿読取動作を前記両面同時読取モードに切り換えるものである。
【００１１】
この発明によれば、両面反転読取モードでの原稿読取動作の開始後に、原稿厚さ検出部で原稿厚さが予め定められた値以下と検出されると、制御部が、当該読取対象である各原稿毎に原稿読取動作を両面同時読取モードに切り換えるため、各原稿毎にスキャン画像の裏写りや破損等を防止できる適切な読取モードでの原稿読取動作を行うことが可能である。
【００１２】
また、請求項４に記載の発明は、請求項１乃至請求項３のいずれかに記載の画像読取装置であって、前記原稿厚さ検出部によって検出された原稿厚さが予め定められた値以下であり、前記制御部が前記両面同時読取モードでの原稿読取動作を行わせる場合には、前記画像読取感度変更部は、前記第１及び第２読取部による原稿読取時の露光量を、予め定められた露光量まで低減させるものである。
【００１３】
この発明によれば、画像読取感度変更部が第１及び第２読取部による原稿読取時の露光量を予め定められた露光量まで低減させることで、第１及び第２読取部による画像読取感度を低減するので、複雑な制御や特別な構成の追加を行うことなく、スキャン画像の裏写りを防止することが可能になる。
【００１４】
また、請求項５に記載の発明は、請求項１乃至請求項３のいずれかに記載の画像読取装置であって、前記原稿厚さ検出部によって検出された原稿厚さが予め定められた値以下であり、前記制御部が前記両面同時読取モードでの原稿読取動作を行わせる場合には、前記画像読取感度変更部は、前記第１及び第２読取部による読取画像の輝度補正ゲインを、予め定められた値まで低減させるものである。
【００１５】
この発明によれば、画像読取感度変更部が第１及び第２読取部による読取画像の輝度補正ゲインを予め定められた値まで低減させることで、第１及び第２読取部による画像読取感度を低減するので、複雑な制御や特別な構成の追加を行うことなく、スキャン画像の裏写りを防止することが可能になる。
【００１６】
また、請求項６に記載の発明は、請求項５に記載の画像読取装置であって、前記第１読取部又は第２読取部による原稿読取終了後の原稿を排出する原稿排出部を更に備え、
前記原稿厚さ検出部は、前記両面反転読取モードでの前記原稿一方面の読取動作時に、当該原稿が前記反転部に到達するまでに、当該原稿の原稿厚さを検出して前記制御部に送出し、
前記制御部は、前記両面反転読取モードでの前記第１読取部による原稿一方面の読取動作時に、前記第２読取部に当該原稿の他方面を読み取らせておき、前記原稿厚さ検出部から送出されてきた当該原稿の原稿厚さが前記予め定められた値以下である場合には、当該原稿を前記反転部に反転させることなく前記原稿排出部によって排出させ、前記第２読取部に読み取らせておいた前記原稿他方面の読取画像を、当該原稿の他方面の読取画像とするものである。
【００１７】
この発明によれば、制御部は、両面反転読取モードでの原稿一方面の読取動作時に、両面反転読取モードでは本来用いない第２読取部に原稿他方面を読み取らせておき、原稿厚さ検出部から送出されてきた当該原稿の原稿厚さが予め定められた値以下である場合に、当該原稿を反転部に反転させずに原稿排出部にそのまま排出させると共に、当該第２読取部に読み取らせておいた原稿他方面の読取画像を当該原稿の他方面の読取画像として用いるので、原稿厚さ検出部から原稿厚さの情報を制御部が受け取って、当該原稿の原稿厚さが予め定められた値以下か否かの判断を両面同時読取モードでの原稿読取動作を開始する前に行わなければならないと言う制約が外れる。このため、当該判断結果が出て読取モード切換の要否がわかるまで原稿搬送動作を一時停止させる等の時間的ロスを生じさせることなく、両面反転読取モードから両面同時読取モードへの切換を円滑に実現することができる。
【００１８】
また、請求項７に記載の発明は、請求項１乃至請求項６のいずれかに記載の画像読取装置であって、前記第１読取部は、縮小光学系イメージセンサにより前記原稿の一方の面を読み取り、
前記第２読取部は、密着光学系イメージセンサにより前記原稿の一方の面を読み取るものである。
【００１９】
この発明によれば、上記原稿両面の読み取りに用いられる第１読取部が縮小光学系イメージセンサであるため、表裏反転により原稿両面を第１読取部で読み取るようにすれば、原稿両面の読取画像の色味に違いを生じさせず、カラー画像を高品質で読み取ることができる。さらに、原稿の他方面を読み取る第２読取部が密着光学系イメージセンサであるため、当該第２読取部を、縮小光学系イメージセンサ配設時のような大きなスペースを要さずに比較的小さなスペースで配設できる。
【００２０】
また、請求項８に記載の発明は、請求項１乃至請求項７のいずれかに記載の画像読取装置と、
前記第１読取部及び第２読取部に読み取られた読取画像のデータに基づいて画像を記録媒体に形成する画像形成部と
を備えた画像形成装置である。
【００２１】
この発明によれば、請求項１乃至請求項７のいずれかに記載の発明によって得られる作用を奏する。
【００２２】
また、請求項９に記載の発明は、請求項８に記載の画像形成装置であって、前記画像形成部による記録媒体への画像形成濃度を変更する濃度変更部を更に備え、
前記原稿厚さ検出部によって検出された原稿厚さが予め定められた値以下であり、前記制御部が前記両面同時読取モードでの原稿読取動作を行わせる場合には、前記画像読取感度変更部による前記第１及び第２読取部の画像読取感度低減処理に代えて、前記濃度変更部が、前記画像形成部による記録媒体への画像形成濃度を、予め定められた値まで低減させるものである。
【００２３】
この発明によれば、画像形成部による記録媒体への画像形成濃度を濃度変更部が予め定められた値まで低減させることによって、複雑な制御や特別な構成の追加を行うことなく、スキャン画像の裏写りを防止することが可能になる。
【発明の効果】
【００２４】
本発明によれば、読取対象である原稿の厚さが薄い場合であっても、スキャン画像の裏写りを生じさせることなく、また、当該原稿を破損させずに表裏面の読取を可能になる。
【発明を実施するための最良の形態】
【００２５】
以下、本発明の一実施形態に係る画像読取装置及び画像形成装置について図面を参照して説明する。尚、以下の実施形態では、本発明における画像読取装置及び画像形成装置を、カラーコピー、スキャナ、ファクシミリ、プリンタ等の機能を備えた複合機に集約した形態を例に説明する。図１は本発明に係る画像形成装置の一実施形態である複合機１の内部構成を模式的に示した縦断面図である。図２は操作部５の正面図の一例である。図３及び図４は、原稿厚さ検出センサの概略構成を示す図である。
【００２６】
複合機１は、画像読取装置２と装置本体３とを備える。画像読取装置２は、原稿給紙部２１とスキャナ部２２とＣＩＳ２３１と操作部５と、更に後述する反転部２８０及び制御部６１を備えてなる。原稿給紙部２１はＡＤＦ（Automatic Document Feeder）を備え、原稿トレイ２１１、ピックアップローラ２１２、レジストローラ２１９、搬送ドラム２１３、排紙ローラ２１４及び排紙トレイ２１５を有する。原稿トレイ２１１には、読取対象とされる原稿が載置される。原稿トレイ２１１に載置された原稿は１枚ずつピックアップローラ２１２によって取り込まれ、レジストローラ２１９によって画像読取に対する原稿搬送タイミングが調整された後、搬送ドラム２１３へ搬送される。搬送ドラム２１３を経由した原稿は排紙ローラ２１４によって排紙トレイ２１５へ排出される。
【００２７】
スキャナ部（第１読取部）２２は、原稿の画像を光学的に読み取って画像データを生成するものである。スキャナ部２２は、プラテンガラス２２１、光源２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９、第２ミラー２２４、第３ミラー２２５、第１キャリッジ２２６、第２キャリッジ２２７、結像レンズ２２８を備える。このスキャナ部２２は、光源２２２として冷陰極蛍光管等の白色蛍光ランプが用いられ、上記第１ミラー２２３、第２ミラー２２４、第３ミラー２２５、第１キャリッジ２２６、第２キャリッジ２２７及び結像レンズ２２８により、原稿からの光をＣＣＤ２２９に導くものである。スキャナ部２２は、光源２２２として冷陰極蛍光管等の白色蛍光ランプを用いていることから、光源として３色ＬＥＤ等が用いられる後述のＣＩＳ２３１よりも色再現性に優れる。
【００２８】
プラテンガラス２２１には、上記原稿給紙部２１によらない原稿読取時に、ユーザの手動により原稿が載置される。プラテンガラス２２１は、光源２２２及び第１ミラー２２３は第１キャリッジ２２６によって支持され、第２ミラー２２４及び第３ミラー２２５は第２キャリッジ２２７によって支持されている。
【００２９】
画像読取装置２の原稿読取方式としては、プラテンガラス２２１上に載置された原稿をスキャナ部２２が読み取るフラットベッド読取モードと、原稿を原稿給紙部２１（ＡＤＦ）によって取り込み、その搬送途中で原稿を読み取るＡＤＦ読取モードがある。フラットベッド読取モードでは、光源２２２がプラテンガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。ＣＣＤ２２９は一次元のイメージセンサであり、１ライン分の原稿の画像を同時に処理する。第１キャリッジ２２６及び第２キャリッジ２２７は、主走査方向と直交する方向（副走査方向、矢印Ｙ方向）に移動可能に構成されており、１ライン分の読み取りが終了すると、当該主走査方向と直交する方向に第１キャリッジ２２６及び第２キャリッジ２２７が移動し、次のラインの読み取りが行われる。
【００３０】
ＡＤＦ読取モードでは、原稿給紙部２１が、原稿トレイ２１１に載置された原稿がピックアップローラ２１２によって１枚ずつ取り込む。このとき、第１キャリッジ２２６及び第２キャリッジ２２７は、読取窓２３０の下方位置に配置される。原稿給紙部２１による原稿搬送で、原稿が搬送ドラム２１３から排紙トレイ２１５への搬送経路に設けられた読取窓２３０上を通過するとき、光源２２２が原稿を照射し、主走査１ライン分の反射光が第１ミラー２３３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。
【００３１】
更に、原稿給紙部２１は切換ガイド２１６、反転ローラ２１７及び反転搬送路２１８からなる反転部２８０を有する。この反転部２８０が、１回目のＡＤＦ読み取りによって表面（原稿の一方の面）がスキャナ部２２に読み取られた原稿を表裏反転させて読取窓２３０（スキャナ部２２）に再搬送することで、再度スキャナ部２２によって裏面（原稿の他方の面）の読み取りが行わせる。この反転部２８０は、両面読み取り時にのみ動作し、片面読み取り時は動作しない。片面読み取り時及び両面読み取り時において裏面の読み取り後、切換ガイド２１６は上側に切り替えられ、搬送ドラム２１３を経た原稿は排紙ローラ２１４によって排紙トレイ２１５に排紙される。両面読み取り時における表面読み取り後、切換ガイド２１６は下側に切り替えられ、搬送ドラム２１３を経た原稿は反転ローラ２１７によって反転搬送路２１８へ搬送される。その後、切換ガイド２１６は上側へ切り替わり、反転ローラ２１７が逆回転して原稿を搬送ドラム２１３へ再給紙する。以下、反転部２８０を用いて原稿の両面を読み取らせるモードを両面反転読取モード又は高画質モードと表記する。
【００３２】
更に、本実施形態の画像読取装置２は、ＡＤＦ読取モード時において、上記で説明したように原稿の搬送途中でスキャナ部２２（ＣＣＤ２２９）によって原稿の表面の読み取りを行わせると同時に、ＣＩＳ（第２読取部）２３１によって原稿の裏面の読み取りを行わせることが可能である。この場合、原稿トレイ２１１から原稿給紙部２１により搬送された原稿は、読取窓２３０上を通過するときにＣＣＤ２２９によって表面が読み取られ、更にＣＩＳ２３１の配置箇所を通過する際に裏面が読み取られる。なお、ＣＩＳ２３１では、光源としてＲＧＢの３色ＬＥＤ等が用いられる。このようにＣＣＤ２２９とＣＩＳ２３１を用いることで、原稿給紙部２１による原稿トレイ２１１から排紙トレイ２１５までの一回の原稿搬送操作（ワンパス）によって原稿の表裏両面の読み取りが可能となる。以下、このようにＣＣＤ２２９とＣＩＳ２３１を用いて原稿の両面を読み取らせるモードを両面同時読取モード又は高速モードと表記する。
【００３３】
ここで、高画質モード（両面反転読取モード）と高速モード（両面同時読取モード）について説明する。高画質モードでは原稿両面の読み取りが同じイメージセンサ（ＣＣＤ２２９）によって行われるため、取得した画像データに基づいて両面印刷を行っても、両面の印刷画像の画質に差はない。しかし、高速モードでは原稿の表面はＣＣＤ２２９、裏面はＣＩＳ２３１という異なるイメージセンサで読み取りが行われるため、特にカラー原稿の場合、それぞれのイメージセンサが取得した画像データに基づいて両面印刷を行うと、両面の印刷画像の画質に差が生じる。これは、ＣＣＤ２２９、ＣＩＳ２３１が原稿読み取りの際に用いる上述した光源の分光分布の違いによるものの他に、ＣＣＤ２２９は複数の受光素子がワンチップ上に形成されてイメージセンサとして構成されているのに対し、ＣＩＳ２３１においては複数の固体撮像素子が連結されてイメージセンサとして構成されているため固体撮像素子間に感度のバラつきが生じ、これが画質差の原因となっていると考えられる。
【００３４】
従って、本実施形態の複合機１においては、上記画質差の発生を解決するために、ＡＤＦ読取モードを用いて原稿の両面読み取りを行う際、ユーザは高画質モード（両面反転読取モード）又は高速モード（両面同時読取モード）の何れかを選択することができるようになっている。つまり、両面の印刷画像の画質を揃えたい場合は高画質モード（両面反転読取モード）、両面の印刷画像の画質に差はあっても、読取時間の短縮化を優先させたい場合は高速モード（両面同時読取モード）とする等、ユーザは状況に応じてモードを選択することができる。
【００３５】
また、画像読取装置２には、原稿厚さ検出センサ２００が備えられている。原稿厚さ検出センサ２００は、原稿トレイ２１１から繋がる原稿搬送路上であって、レジストローラ２１９、ＣＣＤ２２９及びＣＩＳ２３１よりも原稿搬送方向上流側に設けられている。原稿厚さ検出センサ２００は、図３に示すように、アーム２００ａ及びセンサ２００ｂとを有する。アーム２００ａは、その先端部が、原稿搬送路２１０を矢印ａ方向に搬送される原稿Ｓに接触すると、矢印ｂ方向に回転する。原稿がアーム２００ａの下方を通過してアーム２００ａが回転すると、当該原稿の厚さに応じて、アーム回転量が変化する。センサ２００ｂは、アーム２００ａの回転軸に対して取り付けられたロータリエンコーダ等からなり、上記搬送される原稿の厚さに応じて異なるアーム２００ａの回転量を検出する。センサ２００ｂは、検出した回転量情報を後述する制御部６１の原稿厚さ算出部６１２に送出する。
【００３６】
また、原稿厚さ検出センサ２００は、図４に示すように、フォトセンサ２０１からなるものであってもよい。フォトセンサ２０１は、発光部２０１ａ及び受光部２０１ｂを有する。発光部２０１ａは、原稿搬送路２１０をなす一方側の内壁に設けられている。発光部２０１ａは、原稿搬送路２１０をなす他方側の内壁であって、発光部２０１ａに対向する位置に設けられている。搬送される原稿Ｓが、当該発光部２０１ａ及び受光部２０１ｂで挟まれる原稿搬送路２１０部分を通過すると、発光部２０１ａから発光された光が、当該搬送される原稿を透過して受光部２０１ｂに受光される。受光部２０１ｂは、原稿Ｓの厚さに応じて異なつて検出される受光量の情報を、後述の原稿厚さ算出部６１２に送出する。
【００３７】
なお、原稿厚さ算出部６１２は、当該原稿検出センサ２００から送られてくる回転量又は受光量情報に基づいて原稿Ｓの厚さを算出する。これら原稿厚さ検出センサ２００及び原稿厚さ算出部６１２は、特許請求の範囲でいう原稿厚さ検出部の一例である。
【００３８】
さらに、複合機１は、装置本体３と、装置本体３の左方に配設されたスタックトレイ６とを有している。装置本体３は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。また、手差しトレイ４７１を備え、この手差しトレイ４７１からは何れの給紙カセットにも収納されていないサイズの用紙や、既に一方の面に画像形成がなされている用紙（裏紙）、ＯＨＰシートのような任意の記録媒体が載置可能であり、給紙ローラ４７２によって１枚ずつ装置本体３内に給紙される。
【００３９】
記録部（画像形成部）４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３表面を露光し、当該感光体ドラム４３の表面に静電潜像を形成する露光装置４２３と、上記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｋ，４４Ｙ，４４Ｍ，４４Ｃと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。なお、シアン、マゼンタ、イエロー及びブラックの各色に対するトナーの供給は、図略のトナー供給容器（トナーカートリッジ）から行われる。また、記録部４０を通過した記録紙をスタックトレイ６又は排出トレイ４８まで搬送する搬送ローラ４６３，４６４等が設けられている。
【００４０】
記録紙の両面に画像を形成する場合は、記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ６又は排出トレイ４８に排出する。
【００４１】
また、装置本体３の前方には、ユーザが操作画面や各種メッセージ等を視認することができる表示部や、種々の操作命令を入力するための操作ボタンを有する操作部（モード選択指示受付部）５が備えられている。図２に示すように、この操作部５は、表示部（表示部）５１、タッチパネル５２、数字キー群５３、各種操作ボタン５４〜５７、機能選択ボタン５８等を備える。表示部５１は、ＬＣＤ（Liquid Crystal Display）やＥＬＤ（Electronic Luminescent Display）等によって構成され、紙サイズ選択、倍率選択、濃度選択等のユーサーに対する操作案内画面が表示される。この表示部５１はタッチパネル５２と一体的に形成されている。タッチパネル５２は、ユーザによるタッチ操作がなされたら、タッチ位置を検知して検知信号を、後述する制御部へ出力するものである。
【００４２】
数字キー群５３は、例えば、複合機１のコピー機能を動作させる際はコピー枚数を、ファクシミリ機能を動作させる際は送信先の電話番号等を入力するためのものである。節電ボタン５４は、複合機１を節電（低電力）モードにするボタンである。スタートボタン５５はコピー動作やスキャナ動作等を開始させるボタンであり、ストップ／クリアボタン５６はコピー動作やスキャナ動作等の停止、入力操作の取り消しを行うボタンである。リセットボタン５７は表示部５１の表示や各種設定を初期状態又は標準動作状態にするボタンである。機能選択ボタン５８は、コピー機能、プリンタ機能、スキャナ機能、ファクシミリ機能を設定するためのボタンである。
【００４３】
図５は、複合機１の電気的構成を示すブロック図である。尚、図１及び図２に示した各部と同一のものには同符号を付して詳細な説明は省略する。
【００４４】
複合機１は、制御部６１、原稿給紙部２１、スキャナ部２２、ＣＩＳ２３１、操作部５、画像処理部６４、記録部４０及び通信部６６を備えて構成される。
【００４５】
制御部６１は、複合機１の全体動作制御を司るものであり、ＣＰＵ等によって構成される。上記原稿給紙部２１、スキャナ部２２、ＣＩＳ２３１、操作部５、画像処理部６４、記録部４０及び通信部６６は、制御部６１による制御の下で動作する。制御部６１は、ユーザから操作部５に入力された各種の指示信号等に応じて、図略のＲＯＭ又はＨＤＤに記憶されている動作制御プログラムに基づいた処理を実行し、各機能部への指示信号の出力、データ転送等を行って複合機１を統括的に制御する。また、制御部６１は、原稿厚さ検出センサ２００及び原稿厚さ算出部６１２によって検出される原稿厚さに応じて、原稿読取動作を両面反転読取モード又は両面同時読取モードに切り換える制御等を行う。
【００４６】
制御部６１は、モード設定部６１１を有する。モード設定部６１１は、上述した両面反転読取モード及び両面同時読取モードのそれぞれのモードでの、原稿給紙部２１、スキャナ部２２（ＣＣＤ２２９）、ＣＩＳ２３１及び反転部２８０のうちの所要各部による予め定められた動作及び動作制御を記憶している。モード設定部６１１は、ユーザによる操作部５の操作で入力される両面反転読取モード又は両面同時読取モードのいずれかを選択するモード選択指示に従って、上記所要各部に両面反転読取モード又は両面同時読取モードのいずれの動作を行わせるかを設定するものである。制御部６１は、当該モード設定部６１１によって設定されたモードで、上記所要各部を動作させる。
【００４７】
また、制御部６１は、原稿厚さ算出部６１２と、画像読取感度変更部６１３と、濃度変更部６１４とを備える。
【００４８】
原稿厚さ算出部６１２は、原稿給紙部２１によって搬送される各原稿の厚さを算出する。原稿厚さ算出部６１２は、原稿厚さ検出センサ２００から送られてくる上記回転量情報又は受光量情報と、これに対応する原稿厚さとの関係を記憶したテーブルを有し、原稿厚さ検出センサ２００から送られてくる上記回転量情報又は受光量情報に対応する原稿厚さを当該テーブルから読み出すことで、原稿搬送路２１０を搬送される原稿の厚さを算出する。なお、原稿厚さ算出部６１２は、原稿厚さ検出センサ２００から送られてくる上記回転量情報又は受光量情報から原稿厚さを算出するための予め定められた計算式を用いて、原稿搬送路２１０を搬送される原稿の厚さを算出するようにしてもよい。
【００４９】
画像読取感度変更部６１３は、スキャナ部２２（ＣＣＤ２２９）及びＣＩＳ２３１による原稿読取時の画像読取感度を変更する制御を行う。具体的には、画像読取感度変更部６１３は、スキャナ部２２及びＣＩＳ２３１による原稿読取時の露光量を、原稿厚さに応じて、予め定められた露光量まで低減させる。当該予め定められた露光量とは、スキャナ部２２又はＣＩＳ２３１がその読取対象とする原稿面上の画像のみを読み取り、当該読取対象面とは反対側の面上の画像を読み取らない露光量として、予め実験等により求められて設定されている値である。画像読取感度変更部６１３は、当該予め定められた露光量として、例えば、図１５に示すテーブル（紙厚と光量の関係を示す表）のように、原稿厚さ算出部６１２により算出された原稿厚さに対して予め定められた光量を、スキャナ部２２及びＣＩＳ２３１による原稿読取時の露光量とする。なお、図１５にテーブル及びグラフで示す光量は、0〜255までの256段階が予め用意されており、紙厚に対応する光量段階が上記テーブルから読み出されて、スキャナ部２２（ＣＣＤ２２９）及びＣＩＳ２３１の露光量として設定される。
【００５０】
濃度変更部６１４は、記録部４０による記録紙（記録媒体）への画像形成時における画像形成濃度を、原稿厚さに応じて、予め定められた値まで変更する制御を行う。当該予め定められた値とは、スキャナ部２２又はＣＩＳ２３１によって読み取られた原稿画像が、その読取対象とする原稿面上の画像のみが現れた画像となり、当該読取対象面とは反対側の面上の画像が現れない濃度として、予め実験等により求められて設定されている値である。例えば、濃度変更部６１４は、ガンマ補正を行い、入力された画像データを、原稿厚さ算出部６１２により算出された原稿厚さに応じて適宜変換して出力する。濃度変更部６１４は、例えば、入力画像データの階調面積率60%に対してトナーパッチ濃度が0.1ずつ相違する複数のルックアップテーブルを有し、原稿厚さ算出部６１２により算出される原稿厚さに対して予め定められたルックアップテーブルを選択し、選択したルックアップテーブルに応じて入出力特性を決定することで、上記画像形成濃度を変更する。
【００５１】
原稿給紙部２１は、制御部６１の制御の下、ＡＤＦ読取モードで原稿のコピーやスキャンが行われる際に、原稿トレイ２１１に載置された原稿を自動的に取り込んで、スキャナ部２２（ＣＣＤ２２９）やＣＩＳ２３１による原稿の読み取りが可能なように搬送する。
【００５２】
表示部５１は、ユーザに対する操作案内を示す各種画面を表示する。表示部５１は、制御部６１から入力される表示信号に基づいて表示画面を表示する。
【００５３】
画像処理部６４は、画像データに関する各種画像処理を行うものである。例えば、画像処理部６４は、スキャナ部２２（ＣＣＤ２２９）又はＣＩＳ２３１によって取得された画像データや、ネットワーク接続されたパーソナルコンピュータ、公衆回線で接続されたファクシミリ装置等から通信部６６を介して転送されてくる画像データに対して、レベル補正、ガンマ補正等の補正処理、画像データの圧縮又は伸長処理、拡大又は縮小処理などの画像加工処理を行う。
【００５４】
この画像処理部６４は、特許請求の範囲でいう画像読取感度変更部としても機能する。この場合、画像処理部６４は、上記画像読取感度変更部６１３による露光量制御に代えて、スキャナ部２２（ＣＣＤ２２９）及びＣＩＳ２３１による読取画像の輝度補正ゲインを、予め定められた値まで低減させる。当該予め定められた値とは、スキャナ部２２又はＣＩＳ２３１がその読取対象とした原稿面上の画像のみが残り、当該読取対象面とは反対側の面上の画像（裏映りにより生じた画像）が消去される値として、予め実験等により求められて設定されている値である。例えば、画像処理部６４は、スキャナ部２２及びＣＩＳ２３１の感度を切り替えるためのゲイン切替信号を出力する。画像処理部６４は、ゲイン切替信号を複数の感度特性に対応させてそれぞれ有しており、原稿厚さ算出部６１２により算出された原稿厚さに応じていずれかの感度特性に対応するゲイン切替信号を選択して、スキャナ部２２及びＣＩＳ２３１からの出力信号を、複数の感度特性のいずれかに設定する。図１６には、最低感度から最高感度までの４段階の感度特性に設定可能な例を示す。図１６に示す各感度の出力特性は、例えば、以下の演算式に示すような感度特性である。
最低感度特性 ＣＣＤ出力値＝α×露光量 
低感度特性 ＣＣＤ出力値＝2ｎ×α×露光量 
高感度特性 ＣＣＤ出力値＝3ｎ×α×露光量 
最高感度特性 ＣＣＤ出力値＝4ｎ×α×露光量 
ｎは、整数、本実施例では、ｎ＝1  である。
【００５５】
記録部４０は、スキャナ部２２（ＣＣＤ２２９）又はＣＩＳ２３１によって得られた画像データや、上記パーソナルコンピュータやファクシミリ装置等から通信部６６を介して転送された画像データに基づいた画像を記録紙に形成する。
【００５６】
通信部６６は、ネットワークインターフェースを用い、ネットワークを介して接続されたコンピュータやファクシミリ装置等の外部装置との間で種々のデータの送受信を行うものである。
【００５７】
次に、複合機１による原稿読取処理の第１実施形態を説明する。図６は、複合機１による原稿読取処理の第１実施形態を示すフローチャートである。図７〜図１１は、表示部５１の画面例を示したものである。なお、以下の説明では、スキャナ部２２をＣＣＤ２２９として表示する。
【００５８】
例えば、ユーザによりフェイスアップ状態に揃えられた原稿束が原稿トレイ２１１に載置され、ユーザによる操作部５の操作により、複合機１のコピー機能が選択されると、制御部６１は、図７に示すようなコピー機能時の標準画面を表示部５１に表示させる。この標準画面において、ユーザによって機能リストキー１０１が押下されると、制御部６１は、図８に示すような機能リスト画面を表示部５１に表示させる。更にユーザによって両面／分割キー１０２が押下されると、制御部６１は、図９に示すような両面／分割画面を表示部５１に表示させる。なお、上記各画面に表示されるキー、及び以下に示す各画面で表示されるキーは、タッチパネル機能によりユーザからの指示の入力を受け付ける。
【００５９】
図９に示す両面／分割画面では、複数の原稿の片面を読み取って片面印刷する指示の入力を受け付けるキー１０３、原稿の片面を読み取って両面印刷する指示の入力を受け付けるキー１０４、原稿の両面を読み取って片面印刷する指示の入力を受け付けるキー１０５、原稿の両面を読み取って両面印刷する指示の入力を受け付けるキー１０６、見開き原稿を読み取って片面印刷する指示の入力を受け付けるキー１０７、見開き原稿を読み取って両面印刷する指示の入力を受け付けるキー１０８等の設定キーが、制御部６１によって表示される。この両面／分割画面で、例えばキー１０５又は１０６がユーザによる操作部５の操作で選択されて、原稿両面を読み取る指示が入力されると（Ｓ１でＹＥＳ）、制御部６１は、原稿厚さ検出処理を実行させる（Ｓ２）。すなわち、制御部６１は、原稿給紙部２１に、原稿トレイ２１１に載置された原稿束の最上部となる１枚の原稿を取り込ませ、当該原稿が原稿厚さ検出センサ２００を通過してレジストローラ２１９に到達した時点で、レジストローラ２１９に当該原稿の搬送を停止させる。このレジストローラ２１９までの原稿搬送において、原稿厚さ検出センサ２００及び原稿厚さ算出部６１２は、当該原稿の厚さを検出する。
【００６０】
制御部６１は、当該検出された原稿厚さが予め定められた値以下であると判断した場合には（Ｓ３でＹＥＳ）、図１０に示すように、当該両面／分割画面において、表示部５１の表示領域に、原稿読取を高速モードで行う旨を示すメッセージと、高速モードキー１１０と、指示入力を受け付けないことを表現するグレースケールでの表示とした高画質モードキー１０９とを表示させる（Ｓ４）。高画質モードキー１０９は、ユーザによって押下されると、タッチパネル機能により、上記高画質モードでの原稿両面読取指示を受け付け、高速モードキー１１０は、ユーザによる押下に基づいて上記高速モードでの原稿両面読取指示を受け付けるが、この時点では、制御部６１の制御により、高画質モードキー１０９は、高画質モードでの原稿両面読取指示を受け付けないようになっている。なお、高画質モードキー１０９及び高速モードキー１１０のモード設定キーは、特許請求の範囲のモード選択指示受付部の一例である。
【００６１】
一方、制御部６１は、当該検出された原稿厚さが予め定められた値よりも厚いと判断した場合には（Ｓ３でＮＯ）、図１１に示すように、当該両面／分割画面において、表示部５１の表示領域に、高画質モードキー１０９及び高速モードキー１１０のモード設定キーを表示させる（Ｓ５）。この場合は、ユーザによる押下に基づいて、高画質モードキー１０９は高画質モードでの原稿両面読取指示を受け付け、高速モードキー１１０は高速モードでの原稿両面読取指示を受け付ける。
【００６２】
また、Ｓ４又はＳ５でユーザにモード選択を促す画面を表示している時に、ユーザによって高速モードキー１１０が押下された場合、（Ｓ６で「高速モード」）、モード設定部６１１は原稿読取動作を高速モード（両面同時読取モード）に設定する。更にユーザによりスタートボタン５５が押下されると、画像読取感度変更部６１３は、Ｓ３で原稿厚さが予め定められた値以下と判断されているときは（Ｓ１３でＹＥＳ）、ＣＣＤ２２９及びＣＩＳ２３１の露光量を、上述した予め定められた露光量まで低減する（Ｓ１４）。また、画像読取感度変更部６１３は、Ｓ３で原稿厚さが予め定められた値よりも厚いと判断されているときは（Ｓ１３でＮＯ）、Ｓ１４の処理を行わず、ＣＣＤ２２９及びＣＩＳ２３１の露光量をデフォルトの露光量のままとしておく。
【００６３】
続いて、制御部６１は、原稿給紙部２１に上記原稿をＣＣＤ２２９及びＣＩＳ２３１による読取位置に向けて原稿を搬送させる（Ｓ１５）。原稿給紙部２１によって搬送される原稿は、ＣＣＤ２２９及びＣＩＳ２３１によって各読取位置において表裏面が読み取られる（Ｓ１６）。原稿給紙部２１は、当該表裏面読取後の原稿を排紙トレイ２１５に排出する（Ｓ１１）。制御部６１は、Ｓ１５，Ｓ１６，Ｓ１１の処理を、原稿トレイ２１１に載置されている全ての原稿に対して繰り返す。なお、原稿給紙部２１は、原稿束の最上部の原稿から給紙する（以下、各実施形態について同様）。
【００６４】
そして制御部６１は、画像処理部６４に、ＣＣＤ２２９及びＣＩＳ２３１によって取得された各原稿表裏面の画像データについて必要な画像処理を行わせ、当該画像処理後の画像データに基づいて、記録紙の表裏面に、対応する画像データの画像形成を記録部４０に行わせる（Ｓ１２）。当該Ｓ１２の画像形成処理は、必ずしも、原稿トレイ２１１に載置されている全ての原稿に対してＳ１５，Ｓ１６，Ｓ１１の処理が終了してから行われなければならないものではなく、制御部６１は、各原稿に対するＳ１５，Ｓ１６，Ｓ１１の処理中であっても、画像形成が可能な画像データについての記録紙への画像形成処理（Ｓ１２）を開始させるようにしてもよい。以降、各読取モードにおける各原稿の読取動作と画像形成処理の順序について同じである。
【００６５】
また、上記Ｓ５でユーザにモード選択を促す画面を表示している時に、ユーザによって高画質モードキー１０９が押下された場合（Ｓ６で「高画質モード」）、モード設定部６１１は原稿読取動作を高画質モード（両面反転読取モード）に設定する。更にユーザによりスタートボタン５５が押下されると、制御部６１は、原稿給紙部２１に対して原稿の取り込みを指示する信号を出力し、原稿給紙部２１が原稿トレイ２１１に載置された原稿を取り込み、原稿の搬送を開始する（Ｓ７）。
【００６６】
原稿給紙部２１によって原稿搬送路２１０を搬送される原稿は、ＣＣＤ２２９によって、デフォルトの露光量で、読取窓２３０まで搬送されてきた原稿表面が読み取られる（Ｓ８）。この原稿表面の読取後、反転部２８０が当該原稿を表裏反転して読取窓２３０（ＣＣＤ２９）に再搬送する（Ｓ９）。続けてＣＣＤ２２９が、デフォルトの露光量で、読取窓２３０まで再搬送されてきた原稿の裏面を読み取る（Ｓ１０）。制御部６１は、Ｓ７乃至Ｓ１１の処理を、原稿トレイ２１１に載置されている全ての原稿に対して繰り返す。制御部６１は、画像処理部６４に対して、ＣＣＤ２２９によって取得された各原稿表裏面の画像データについて必要な画像処理を行わせ、当該画像処理後の画像データに基づいて、記録紙の表裏面に、対応する画像データの画像形成を記録部４０に行わせる（Ｓ１１）。
【００６７】
なお、Ｓ１において原稿両面を読み取るキー以外のキー（キー１０３、１０４、１０７及び１０８）がユーザによって押下された場合（Ｓ１でＮＯ）、原稿給紙部２１及びスキャナ部２２に原稿片面（表面）の読取動作を行わせる。すなわち、制御部６１は原稿給紙部２１に対して原稿の取り込みを指示する信号を出力して、原稿給紙部２１に原稿トレイ２１１に載置された原稿を取り込ませる（Ｓ１７）。そして、ＣＣＤ２２９が読取窓２３０下方で原稿の表面を読み取る（Ｓ１８）。原稿給紙部２１は、当該表面読取後の原稿を排紙トレイ２１５に排出する（Ｓ１１）。制御部６１は、Ｓ１７，Ｓ１８，Ｓ１１の処理を、原稿トレイ２１１に載置されている全ての原稿に対して繰り返し、各原稿表面の画像データに基づく画像形成処理を行う（Ｓ１２）。
【００６８】
このような処理を行うことで、画像読取装置２による読取対象とされる原稿の厚さが薄い場合には、原稿が反転される高画質モードでの原稿読取動作が禁止され、画像読取感度を低減させた上で高速モードでの原稿読取動作が行われるので、原稿が薄くても、スキャン画像の裏写りを生じさせることなく、しかも当該原稿を破損させずに、当該原稿の表裏面を読み取ることができる。
【００６９】
また、制御部６１は、Ｓ３において、上記検出された原稿厚さが予め定められた値以下であると判断した場合には（Ｓ３でＹＥＳ）、Ｓ４の画面表示及びＳ６の読取モード判断を行うことなく、直ちに高速モードでの原稿読取動作（Ｓ１１乃至Ｓ１６，Ｓ１１）を行うようにしてもよい。
【００７０】
次に、複合機１による原稿読取処理の第２実施形態を説明する。図１２は、複合機１による原稿読取処理の第２実施形態を示すフローチャートである。なお、図６に示した第１実施形態と同様の処理は説明を省略する。
【００７１】
上記第１実施形態では、原稿厚さ検出処理が両面読取モードの選択前であって、原稿両面読取動作の開始前となるタイミングで行われていたが、この第２実施形態では、原稿両面読取動作の開示後に原稿厚さ検出処理が行われる。すなわち、上記両面／分割画面で、例えばキー１０６がユーザによる操作部５の操作で選択されると（Ｓ２１でＹＥＳ）、制御部６１は、上記図１１に示すように、両面／分割画面に高画質モードキー１０９及び高速モードキー１１０のモードキーを表示させる。すなわち、高画質モードキー１０９及び高速モードキー１１０のモードキーは、高画質モード又は高速モードの選択を制限なく受け付ける。
【００７２】
そして、ユーザによって高画質モードキー１０９が押下され（Ｓ２２で「高画質モード」）、スタートボタン５５が押下されると、制御部６１は、原稿給紙部２１が原稿トレイ２１１に載置された原稿を取り込み、原稿の搬送を開始させる（Ｓ２３）。
【００７３】
このとき、原稿給紙部２１によって原稿搬送路２１０を搬送される原稿は、原稿厚さ検出センサ２００及び原稿厚さ算出部６１２によって原稿厚さが検出される（Ｓ２４）。制御部６１が、当該検出された原稿厚さは予め定められた値以下であると判断した場合（Ｓ２５でＹＥＳ）、画像読取感度変更部６１３がＣＣＤ２２９及びＣＩＳ２３１の露光量を上述した予め定められた露光量まで低減させる（Ｓ３２）。当該搬送中の原稿がＣＣＤ２２９及びＣＩＳ２３１による読取位置に到達すると、各読取位置において、ＣＣＤ２２９は当該原稿の表面を読み取り、ＣＩＳ２３１は当該原稿の裏面を読み取る（Ｓ３３）。搬送中の原稿の厚さが薄い場合には、露光量を落とした上で、原稿給紙部２１による当該原稿の一回の搬送動作でのＣＣＤ２２９及びＣＩＳ２３１による原稿両面の読み取り（高速モードでの原稿読取動作）が行われる。
【００７４】
一方、制御部６１は、当該検出された原稿厚さが予め定められた値よりも厚いと判断した場合には（Ｓ２５でＮＯ）、ＣＣＤ２２９及び反転部２８０がデフォルトの露光量で原稿の表裏面を読み取る（Ｓ２６乃至Ｓ２８）。すなわち、ＣＣＤ２２９及びＣＩＳ２３１による原稿読取前であって、反転部２８０による原稿反転前に、原稿厚さ算出部６１２は、読取対象とされる原稿の厚さを検出し、制御部６１は、当該検出された原稿厚さが予め定められた値以下か否かの判断を終える。
【００７５】
この後、原稿給紙部２１は、当該表裏面読取後の原稿を排紙トレイ２１５に排出する（Ｓ９）。制御部６１は、(1)Ｓ２３乃至Ｓ２９の処理、或いは、(2)Ｓ２３〜Ｓ２５，Ｓ３２，Ｓ３３，Ｓ２９からなる処理を、原稿トレイ２１１に載置されている全ての原稿に対して繰り返す（Ｓ３０）。
【００７６】
また、Ｓ２２においてユーザによって高速モードキー１１０が押下され、更にスタートボタン５５が押下されると、制御部６１は、原稿給紙部２１に原稿トレイ２１１に載置された原稿を、ＣＣＤ２２９及びＣＩＳ２３１による読取位置に向けて原稿を搬送させる（Ｓ３４）。
【００７７】
この高速モードでの原稿読取動作時にも、原稿給紙部２１によって原稿搬送路２１０を搬送される原稿は、原稿厚さ検出センサ２００及び原稿厚さ算出部６１２によって原稿厚さが検出される（Ｓ３５）。制御部６１が、当該検出された原稿厚さが予め定められた値以下であると判断した場合には（Ｓ３６でＹＥＳ）、画像読取感度変更部６１３はＣＣＤ２２９及びＣＩＳ２３１の露光量を上述した予め定められた露光量まで低減する（Ｓ３７）。当該搬送中の原稿は、ＣＣＤ２２９及びＣＩＳ２３１によって各読取位置において、上記低減された露光量で表裏面が読み取られる（Ｓ３８）。なお、制御部６１が、当該検出された原稿厚さが予め定められた値よりも厚いと判断した場合には（Ｓ３６でＮＯ）、当該搬送中の原稿は、ＣＣＤ２２９及びＣＩＳ２３１により各読取位置において、デフォルトの露光量で表裏面が読み取られる（Ｓ３８）。原稿給紙部２１は、当該表裏面読取後の原稿を排紙トレイ２１５に排出する（Ｓ３９）。Ｓ３４乃至Ｓ３９の処理は、原稿トレイ２１１に載置されている全ての原稿に対して繰り返される（Ｓ４０）。
【００７８】
また、Ｓ１において原稿両面を読み取るキー以外のキー（キー１０３、１０４、１０７及び１０８）がユーザによって押下された場合（Ｓ２１でＮＯ）、第１実施形態と同様の原稿片面読取動作が原稿トレイ２１１に載置されている全ての原稿に対して行われる（Ｓ４１乃至Ｓ４４）。
【００７９】
このような処理を行うことで、原稿両読取動作の開始後であっても、原稿厚さが薄い場合には、画像読取感度の低減処理や、両面反転読取モードから両面同時読取モードへの切換処理が行われるので、スキャン画像の裏写りや破損等を防止できる適切な読取モードでの原稿読取動作を行うことができる。また、各原稿毎に、各原稿厚さに応じた画像読取感度の低減処理と、両面反転読取モードから両面同時読取モードへの切換処理が行われるので、原稿トレイ２１１に載置された原稿束として、厚さの異なる原稿が混載されている場合であっても、各原稿毎に的確にスキャン画像の裏写りや破損等を防止できる適切な読取モードでの原稿読取動作を行うことができる。
【００８０】
なお、第１及び第２実施形態では、ＣＣＤ２２９及びＣＩＳ２３１の画像読取感度を変更する処理として、画像読取感度変更部６１３が、ＣＣＤ２２９及びＣＩＳ２３１の露光量を低減させるようにしているが、これに代えて、(1)画像処理部６４が、デフォルトの露光量でＣＣＤ２２９及びＣＩＳ２３１により読み取られた読取画像に対して、上述した輝度補正ゲインを低減させた画像処理を行うことで、スキャン画像の裏写りを防止するようにしてもよいし、(2) 濃度変更部６１４が、原稿厚さが予め定められた値以下であると制御部６１によって判断された原稿について、原稿両面の読取画像の画像形成濃度を、記録部４０による画像形成時に、上述した予め定められた濃度まで低減させるようにしてもよい。
【００８１】
次に、複合機１による原稿読取処理の第３実施形態を説明する。図１３は、複合機１による原稿読取処理の第３実施形態を示すフローチャートである。なお、図６，図１２に示した第１，第２実施形態と同様の処理は説明を省略する。
【００８２】
本第３実施形態では、ユーザによって高画質モードが選択された場合であっても（Ｓ５２で「高画質モード」）、制御部６１は、ＣＣＤ２２９による原稿表面の読取のための原稿搬送時に、ＣＩＳ２３１に当該原稿の裏面を読み取らせておき（Ｓ５４）、当該原稿両面の読取画像を図略の画像メモリに記憶させておく。制御部６１は、当該ＣＣＤ２２９及びＣＩＳ２３１による原稿読取は、デフォルトの露光量で行わせる。制御部６１は、原稿厚さ検出センサ２００及び原稿厚さ算出部６１２によって検出された原稿厚さが予め定められた値以下であると判断した場合には（Ｓ５６でＹＥＳ）、当該原稿を反転部２８０に反転させることなく、このまま原稿給紙部２１に排出させる（Ｓ６３）。そして、制御部６１は、画像処理部６４に、上記Ｓ５４で読み取られた原稿両面の読取画像に対して、上述した輝度補正ゲインを低減させた画像処理を行わせる（Ｓ６４）。制御部６１は、当該画像処理後の画像データに基づいて画像形成処理を行う（Ｓ６２）。なお、Ｓ６３の原稿排出とＳ６４の画像処理の順序は問わない。
【００８３】
また、ユーザによって高画質モードが選択された場合であって（Ｓ５２で「高画質モード」）、上記ＣＣＤ２２９及びＣＩＳ２３１によるデフォルトの露光量での原稿両面の読取後（Ｓ５４）、制御部６１が、上記検出された原稿厚さが予め定められた値よりも厚いと判断した場合には（Ｓ５６でＮＯ）、原稿給紙部２１及び反転部２８０に当該原稿を搬送させてＣＣＤ２２９によりデフォルトの露光量で当該原稿の表裏面を読み取らせた後（Ｓ５７，Ｓ５８）、当該原稿を原稿給紙部２１に排出させる（Ｓ５９）。このとき、制御部６１は、既に上記画像メモリに記憶されているＣＩＳ２３１による原稿裏面の読取画像を、当該反転後にＣＣＤ２２９で読み取った原稿裏面の読取画像に書き換える（Ｓ６０）。制御部６１は、当該書き換え後の画像メモリの原稿両面の読取画像のデータに基づいて画像形成処理を行う（Ｓ６２）。なお、Ｓ５９の原稿排出とＳ６０の画像書換処理の順序は問わない。
【００８４】
なお、ユーザによって高速モードが選択された場合であって（Ｓ５２で「高速モード」）、制御部６１が、上記検出された原稿厚さが予め定められた値以下であると判断した場合に（Ｓ６８でＹＥＳ）、制御部６１は、画像処理部６４に、上記ＣＣＤ２２９及びＣＩＳ２３１に読み取らせておいた原稿両面の読取画像（Ｓ６６）に対して、上述した輝度補正ゲインを低減させた画像処理を行わせる（Ｓ６９）。制御部６１は、上記検出された原稿厚さが予め定められた値よりも厚いと判断した場合には（Ｓ６８でＮＯ）、Ｓ６９の画像処理を画像処理部６４に行わせない。
【００８５】
これにより、原稿厚さが予め定められた値以下か否かの判断前であっても、ＣＣＤ２２９及びＣＩＳ２３１による原稿読取を開始できるので、原稿読取時間を短縮できると共に、原稿厚さの検出及び原稿厚さが予め定められた値以下か否かの判断を行うタイミングに余裕を持たせることができ、そのため、原稿厚さ検出センサ２００、読取窓２３０（ＣＣＤ２２９）、ＣＩＳ２３１、反転部２８０の配設位置に自由度が拡がる。また、原稿厚さが予め定められた値以下か否かの判断終了を待つために、原稿読取のための原稿搬送動作を原稿読取実行前に一時停止させる等の時間的ロスを生じさせることなく、高画質モードを切り換えて高速モードでの原稿読取動作を実現することができる。
【００８６】
次に、複合機１による原稿読取処理の第４実施形態を説明する。図１４は、複合機１による原稿読取処理の第４実施形態を示すフローチャートである。なお、図６，図１２，図１３に示した第１，第２，第３実施形態と同様の処理は説明を省略する。
【００８７】
上記第２実施形態では、原稿厚さが薄い場合にＣＣＤ２２９及びＣＩＳ２３１による読取画像の輝度補正ゲインを低減させていたが、本第３実施形態では、当該露光量低減制御や輝度補正ゲイン低減制御は行わず、これらの処理に代えて、記録部４０による画像形成時の濃度を低減させる制御を行う。
【００８８】
すなわち、制御部６１は、ユーザによって高画質モードが選択された場合（Ｓ８２で「高画質モード」）、制御部６１は、ＣＣＤ２２９による原稿表面の読取のための原稿搬送時に、ＣＩＳ２３１に当該原稿の裏面を読み取らせておき（Ｓ８４）、当該原稿両面の読取画像を図略の画像メモリに記憶させておく。制御部６１は、当該ＣＣＤ２２９及びＣＩＳ２３１による原稿読取は、デフォルトの露光量で行わせる。そして、制御部６１は、原稿厚さ検出センサ２００及び原稿厚さ算出部６１２によって検出された原稿厚さが予め定められた値以下であると判断した場合には（Ｓ８６でＹＥＳ）、当該原稿を反転部２８０に反転させることなく、このまま原稿給紙部２１に排出させるが（Ｓ９４）、制御部６１は、図略のメモリ等に、当該原稿厚さが予め定められた値以下の原稿（何枚目に搬送した原稿であるかの情報）を記憶しておく（Ｓ９５）。なお、Ｓ９４の原稿排出とＳ９５の原稿情報記憶処理の順序は問わない。
【００８９】
そして、濃度変更部６１４は、記録部４０による画像形成時に、上記メモリに記憶された原稿情報を用いて、原稿厚さが予め定められた値以下の原稿を特定し、当該特定した原稿についての原稿両面の読取画像の画像形成濃度を、上述した予め定められた濃度まで低減させる（Ｓ９２）。制御部６１は、当該低減された濃度で記録部４０に画像形成を行わせる（Ｓ９３）。当該濃度低減処理は、例えば、露光装置４２３の露光出力の低減、又は／及び現像バイアスの低減であり、更には、画像形成の対象となる画像データのドットを間引く等の処理であってもよい。
【００９０】
なお、ユーザによって高速モードが選択された場合であって（Ｓ８２で「高速モード」）、制御部６１が、上記検出された原稿厚さが予め定められた値以下であると判断した場合も（Ｓ９９でＹＥＳ）、制御部６１は、上記メモリ等に、当該原稿厚さが予め定められた値以下の原稿（何枚目に搬送した原稿であるかの情報）を記憶しておく（Ｓ１００）。なお、Ｓ１０１の原稿排出とＳ１００の原稿情報記憶処理の順序は問わない。全ての原稿に対してＳ９６乃至Ｓ１０１の処理が終わると（Ｓ１０２でＮＯ）、処理はＳ９２に移る。
【００９１】
これにより、複雑な制御や特別な構成の追加を行うことなく、スキャン画像の裏写りを防止することが可能になる。
【００９２】
なお、上記各実施形態においては、本発明の要点ではないため、特に説明していないが、読み取り後の各原稿は、フェイスダウン状態で揃って排紙トレイ２１５に排出されるように、反転部２８０及び原稿給紙部２１が原稿面を置換した後に排出される。
【００９３】
なお、本発明は上記実施の形態の構成に限られず種々の変形が可能である。例えば、複合機１による原稿読取処理の他の実施形態として、第１実施形態のＳ１乃至Ｓ５までの処理を行った後に、(1)第２実施形態のＳ２２乃至Ｓ４４までの処理、(2) 第３実施形態のＳ５２乃至Ｓ７５までの処理、(3) 第３実施形態のＳ５２乃至Ｓ７５までの処理、のいずれかを行うことも可能である。この場合、ユーザに対して、原稿が薄い場合に高画質モードでの原稿読取動作が行われないことを認識させた上で原稿読取動作を開始することができる。
【００９４】
また、上記では、本発明に係る画像読取装置及び画像形成装置の構成及び処理の実施形態を図１乃至図１６に示したが、これらはあくまでも一例に過ぎず、本発明に係る画像読取装置及び画像形成装置を上述した構成及び制御に限定する趣旨ではない。
【図面の簡単な説明】
【００９５】
【図１】本発明に係る画像形成装置の一実施形態である複合機の内部構成を模式的に示した縦断面図である。
【図２】操作部の正面図の一例である。
【図３】原稿厚さ検出センサの概略構成を示す図である。
【図４】原稿厚さ検出センサの概略構成を示す図である。
【図５】複合機の電気的構成を示すブロック図である。
【図６】複合機による原稿読取処理の第１実施形態を示すフローチャートである。
【図７】表示部の画面例を示したものである。
【図８】表示部の画面例を示したものである。
【図９】表示部の画面例を示したものである。
【図１０】表示部の画面例を示したものである。
【図１１】表示部の画面例を示したものである。
【図１２】複合機による原稿読取処理の第２実施形態を示すフローチャートである。
【図１３】複合機による原稿読取処理の第３実施形態を示すフローチャートである。
【図１４】複合機による原稿読取処理の第４実施形態を示すフローチャートである。
【図１５】原稿の紙厚と露光量の関係を示す図である。
【図１６】スキャナ部及びＣＩＳの出力特性とゲインとの関係を示す図である。
【符号の説明】
【００９６】
１          複合機
２          画像読取装置
２１        原稿給紙部
２２        スキャナ部
２２９      ＣＣＤ
２３１      ＣＩＳ
４０        記録部
５１        表示部
５２        タッチパネル
６１        制御部
６４        画像処理部
１０９      高画質モードキー
１１０      高速モードキー
２１９      レジストローラ
２１０      原稿搬送路
２１１      原稿トレイ
２１２      ピックアップローラ
２１７      反転ローラ
２００      原稿厚さ検出センサ
２００ａ    アーム
２００ｂ    センサ
２０１      フォトセンサ
２０１ａ    発光部
２０１ｂ    受光部
２８０      反転部
６１１      モード設定部
６１２      原稿厚さ算出部
６１３      画像読取感度変更部
６１４      濃度変更部
【図１】
0004843598.tif 000002
【図２】
0004843598.tif 000003
【図３】
0004843598.tif 000004
【図４】
0004843598.tif 000005
【図５】
0004843598.tif 000006
【図６】
0004843598.tif 000007
【図７】
0004843598.tif 000008
【図８】
0004843598.tif 000009
【図９】
0004843598.tif 000010
【図１０】
0004843598.tif 000011
【図１１】
0004843598.tif 000012
【図１２】
0004843598.tif 000013
【図１３】
0004843598.tif 000014
【図１４】
0004843598.tif 000015
【図１５】
0004843598.tif 000016
【図１６】
0004843598.tif 000017